(57)【要約】【課題】結線洩れを起こしにくく、たとえ結線洩れを起こしても結線完了部と未結線部が明確に区別でき、容易にそれを発見できる電気雷管の提供。【解決手段】発破器から供給される電気エネルギーを受け入れるための一対の脚線と、前記脚線に接続される点火装置と、前記点火装置により起爆される雷管部を有する電気雷管において、前記一対の脚線端部付近の片方の脚線を包み込むように蛍光テープを貼り付けたことを特徴とする電気雷管。【選択図】　図１
2004061055.tif 000002
【特許請求の範囲】
【請求項１】
発破器から供給される電気エネルギーを受け入れるための一対の脚線と、前記脚線に接続される点火装置と、前記点火装置により起爆される雷管部を有する電気雷管において、前記一対の脚線端部付近の片方の脚線を包み込むように蛍光テープを貼り付けたことを特徴とする電気雷管。
【請求項２】
蛍光テープを、片方の脚線を包み込むように折り合わせて貼り付けたことを特徴とする請求項１記載の電気雷管。
【請求項３】
前記蛍光テープが電気雷管の脚線短絡を引き離す以上の強度を有することを特徴とする請求項２記載の電気雷管。
【発明の詳細な説明】
【０００１】
【発明の属する技術分野】
本発明は、結線漏れを容易に防止し得る電気雷管に関する。
【０００２】
【従来の技術】
従来、電気雷管発破を行う際には、発破器に対して通常複数の電気雷管が直列に結線されており、この結線作業において、まず、結線しようとする電気雷管の短絡されている２本の脚線それぞれを手で持ってそれを引き離してから、もう一方の電気雷管の一対の脚線のうち片方の脚線先端部の被覆されていない部位同士を平行に接触させ、これを曲げて輪を作り５回以上ねじることで結線されており、これを順次繰り返すことで結線作業が終了する。
【０００３】
また、照度の低いトンネル内で脚線を容易に見つけ出すために実開昭５７−９６９３６にあるように脚線被覆材料に予め蛍光顔料を配合させるか、または絶縁性合成樹脂の表面に蛍光顔料を含む蛍光塗料を塗布したものもある。
しかしながら、従来の電気雷管結線は数多くの電気雷管の脚線結線部を目視でとらえて結線洩れを起こさない熟練作業を要し、さらに脚線先端の結線部を探すために作業時間が多くかかることや、時として結線洩れを起こして発破のための電気エネルギーを供給できないことがあった。
【０００４】
特に照度の低いトンネル内の電気雷管結線作業ではこの結線洩れは起きやすく、時として結線洩れを起こすとその穴に装薬されている火薬が起爆できずに残留する。
また、実開昭５７−　９６９３６では照度の低い場所で脚線を見つけやすくしているが結線したあとも依然として脚線の蛍光部が発光するために、結線が終わっている所とまだ結線が終わってない所との区別ができないという問題があった。
【０００５】
【発明が解決しようとする課題】
本発明は、結線洩れを起こしにくく、たとえ結線洩れを起こしても結線完了部と未結線部が明確に区別でき容易にそれを発見できる電気雷管を提供するものである。
【０００６】
【課題を解決するための手段】
本発明は、下記の通りである。
（１）発破器から供給される電気エネルギーを受け入れるための一対の脚線と、前記脚線に接続される点火装置と、前記点火装置により起爆される雷管部を有する電気雷管において、前記一対の脚線端部付近の片方の脚線を包み込むように蛍光テープを貼り付けたことを特徴とする電気雷管。
（２）蛍光テープを、片方の脚線を包み込むように折り合わせて貼り付けたことを特徴とする前記（１）記載の電気雷管。
（３）前記蛍光テープが電気雷管の脚線短絡を引き離す以上の強度を有することを特徴とする前記（２）記載の電気雷管。
蛍光テープは照度の低い場所で目立つものであれば良く、蛍光材料や反射材料が利用でき特に形状や材料を限定されるものではない。また、電気雷管とは電子雷管を含んだ電気雷管を総称し、電気を供給することで起爆する電気雷管全てに適用できる。
【０００７】
電気雷管は安全のため迷走電流による誤爆を防ぐ目的で使用時以外は脚線端部を短絡されている。作業現場の切羽で結線するときにこの短絡部を引き離して別の電気雷管脚線とを直列結線する。
このとき本発明は脚線端部付近の片方に脚線に貼り付けた蛍光テープを掴んで引き抜くことにより短絡部が外れ結線作業に移ることができる。さらに、片方の脚線を包み込むように折り合わせて蛍光テープを付けておけば、引き抜き時以外に外れてしまうといった問題がなく好ましい。そのとき引き抜いた蛍光テープは脚線から除去されることにより結線洩れがあった場合には蛍光テープが残置されているので明瞭に発見ができ、従来のように脚線結線部を見落とすことが無く熟練を必要とした作業が不要で、結線洩れを起こさず誰でも確実な結線作業ができる。また、結線作業時間の短縮がはかれる。
【０００８】
さらに詳しくは、作業時、図１の様に脚線端部付近の片方の脚線を包み込むように折り合わせて貼り付けた蛍光テープを、引き取り捨てることで電気雷管の脚線短絡を外して結線作業に１動作で移れる。そうすることで全ての電気雷管の結線作業が終了したとき切羽面の蛍光テープは全て取り去られて無くなっており、万が一結線洩れがあった場合には切羽面に目立つ蛍光テープが残置されることとなり発破前に結線洩れを確認でき容易に修正再結線が可能である。
【０００９】
図２は、脚線端部付近の片方の脚線を包みこむように折り合わせて貼り付けた蛍光テープを、引き取り捨てて電気雷管の脚線短絡を外し、結線作業をはじめようとする状態を示す。
【００１０】
【発明の実施の形態】
以下、実施例及び比較例によって本発明をさらに詳細に説明する。
【００１１】
【実施例１】
トンネル内切羽で使用した６号電気雷管（脚線長３ｍ）の脚線の一方の端部に図１の様に脚線端部付近の片方の脚線を包みこむように蛍光テープを折り合わせて貼り付けておき、結線作業時その蛍光テープを引き取り捨てることで電気雷管の脚線短絡を外して結線作業を行った。トンネル内切羽で９５個全ての電気雷管の結線作業が終了したとき切羽面の蛍光テープは全て取り去られて無くなっており、結線作業は２人で１０分で終了し結線洩れはなかった。
【００１２】
【実施例２】
トンネル内切羽で使用した６号電気雷管（脚線長３ｍ）の脚線の一方の端部に図１の様に脚線端部付近の片方の脚線を包みこむように蛍光テープを折り合わせて貼り付けておき、結線作業時その蛍光テープを引き取り捨てることで電気雷管の脚線短絡を外して結線作業を行った。トンネル内切羽で電気雷管の結線作業が終了したとき切羽面に蛍光テープが一つ残置されており結線洩れを発見した。それを修正して９５個全ての結線作業は２人１１分で終了し結線洩れはなかった。
【００１３】
【比較例１】
トンネル内切羽で使用した脚線の端部付近に蛍光テープを貼付しない通常の６号電気雷管（脚線長３ｍ）の結線作業を行った。トンネル内切羽で９５個全ての電気雷管の結線作業が終了するのに、結線作業は２人で１５分かかったが、結線洩れはなかった。
【００１４】
【比較例２】
トンネル内切羽で使用した脚線の端部付近に蛍光テープを貼付しない通常の６号電気雷管（脚線長３ｍ）の結線作業を行った。トンネル内切羽で電気雷管の結線作業が終了し発破したところ１個の結線洩れがありそれに気付かず１穴起爆できず当前記火薬が残留した。
【００１５】
【発明の効果】
本発明の電気雷管は、結線作業時に蛍光テープを掴んで引き抜き短絡を外して結線をすることで、照度の低いトンネル内結線作業においても結線部を見つけやすく、作業時間の大幅な短縮が可能となり、かつ万が一の結線洩れが発生したときでもそれを発見修正が容易で結線洩れに起因した不発残火薬が発生しない。
【図面の簡単な説明】
【図１】実施例の電気雷管を示す説明図。
【図２】実施例の電気雷管の蛍光テープを引き取り捨てて電気雷管の脚線短絡を外し、結線作業をはじめようとする状態を示す説明図。
【符号の説明】
１・・・電気雷管
２・・・蛍光テープ
３・・・脚線結線部
４・・・脚線
【図１】
2004061055.tif 000003
【図２】
2004061055.tif 000004